(57)【要約】【課題】既存の資源を有効利用でき且つ利便性の高いＩＣカードシステムを提供する。【解決手段】トランシーバ３Ａは、ＩＣカードのコマンドに応じた電圧をユーザＵの人体に印加し、トランシーバ３Ｂが電圧により検出コマンドを検出し、カードリーダＣＲを介してＩＣカード１へ送信する。トランシーバ３Ｂは、ＩＣカード１からカードリーダＣＲを介して返されたレスポンスに応じた電圧をユーザＵの人体に印加し、トランシーバ３Ａが電圧によりレスポンスを検出し、コンピュータ２に送信する。これにより、コンピュータ２がドアＤを解錠する。【選択図】図１
2007226560.tif 000002
【特許請求の範囲】
【請求項１】
コンピュータと通信可能な第１のトランシーバと、ＩＣカードのカードリーダと通信可能な第２のトランシーバとが電極を有し、
各電極が媒体に接触または近接している状態で、第１のトランシーバは、コンピュータから送信されるＩＣカードのコマンドに応じた波形の電圧を電極と媒体を介して第２のトランシーバの電極に印加し、
第２のトランシーバは、当該電圧の波形をコマンドとして検出し、このコマンドをカードリーダへ送信し、
各電極が媒体に接触または近接している状態で、第２のトランシーバは、カードリーダから送信されるＩＣカードのレスポンスに応じた波形の電圧を電極と媒体を介して第１のトランシーバの電極に印加し、
第１のトランシーバは、当該電圧の波形をレスポンスとして検出し、このレスポンスをコンピュータへ送信する
ことを特徴とするＩＣカードシステム。
【請求項２】
ＩＣカードのカードリーダと通信可能な第１のトランシーバと、ＩＣカードと通信可能な第２のトランシーバとが電極を有し、
各電極が媒体に接触または近接している状態で、第１のトランシーバは、カードリーダから送信されるＩＣカードのコマンドに応じた波形の電圧を電極と媒体を介して第２のトランシーバの電極に印加し、
第２のトランシーバは、当該電圧の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形をレスポンスとして検出し、このレスポンスをカードリーダへ送信する
ことを特徴とするＩＣカードシステム。
【請求項３】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、
各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、
第２のトランシーバは、当該電圧の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形をレスポンスとして検出し、このレスポンスをアダプタを介してカードリーダへ送信する
ことを特徴とするＩＣカードシステム。
【請求項４】
コンピュータと通信可能な第１のトランシーバと、ＩＣカードのカードリーダと通信可能な第２のトランシーバとが電極を有し、
各電極が媒体に接触または近接している状態で、第１のトランシーバは、コンピュータから送信されるＩＣカードのコマンドに応じた波形の電圧を電極と媒体を介して第２のトランシーバの電極に印加し、
第２のトランシーバは、当該電圧の波形をコマンドとして検出し、このコマンドをカードリーダへ送信し、
各電極が媒体に接触または近接している状態で、第２のトランシーバは、カードリーダから送信されるＩＣカードのレスポンスに応じた波形の電圧を電極と媒体を介して第１のトランシーバの電極に印加し、
第１のトランシーバは、当該電圧の波形をレスポンスとして検出し、このレスポンスをコンピュータへ送信する
ことを特徴とするＩＣカードシステムの通信方法。
【請求項５】
ＩＣカードのカードリーダと通信可能な第１のトランシーバと、ＩＣカードと通信可能な第２のトランシーバとが電極を有し、
各電極が媒体に接触または近接している状態で、第１のトランシーバは、カードリーダから送信されるＩＣカードのコマンドに応じた波形の電圧を電極と媒体を介して第２のトランシーバの電極に印加し、
第２のトランシーバは、当該電圧の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形をレスポンスとして検出し、このレスポンスをカードリーダへ送信する
ことを特徴とするＩＣカードシステムの通信方法。
【請求項６】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、
各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、
第２のトランシーバは、当該電圧の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形をレスポンスとして検出し、このレスポンスをアダプタを介してカードリーダへ送信する
ことを特徴とするＩＣカードシステムの通信方法。
【請求項７】
コンピュータと通信可能な第１のトランシーバと、ＩＣカードのカードリーダと通信可能な第２のトランシーバとが電極を有し、第２のトランシーバが、電極に印加された電圧の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバであって、
各電極が媒体に接触または近接している状態で、コンピュータから送信されるＩＣカードのコマンドに応じた波形の電圧を電極と媒体を介して第２のトランシーバの電極に印加し、
電極に印加された電圧の波形をレスポンスとして検出し、このレスポンスをコンピュータへ送信する
ことを特徴とするトランシーバ。
【請求項８】
コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをコンピュータへ送信するときの、第２のトランシーバであって、
電極に印加された電圧の波形をコマンドとして検出し、このコマンドをカードリーダへ送信し、
各電極が媒体に接触または近接している状態で、カードリーダから送信されるＩＣカードのレスポンスに応じた波形の電圧を電極と媒体を介して第１のトランシーバの電極に印加する
ことを特徴とするトランシーバ。
【請求項９】
ＩＣカードのカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形をレスポンスとして検出し、このレスポンスをアダプタを介してカードリーダへ送信する
ことを特徴とするトランシーバ。
【請求項１０】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形をレスポンスとして検出し、このレスポンスをアダプタを介してカードリーダへ送信する
ことを特徴とするトランシーバ。
【請求項１１】
ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバであって、
電極に印加された電圧の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバ。
【請求項１２】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバであって、
電極に印加された電圧の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバ。
【請求項１３】
コンピュータと通信可能な第１のトランシーバと、ＩＣカードのカードリーダと通信可能な第２のトランシーバとが電極を有し、第２のトランシーバが、電極に印加された電圧の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバの通信方法であって、
各電極が媒体に接触または近接している状態で、コンピュータから送信されるＩＣカードのコマンドに応じた波形の電圧を電極と媒体を介して第２のトランシーバの電極に印加し、
電極に印加された電圧の波形をレスポンスとして検出し、このレスポンスをコンピュータへ送信する
ことを特徴とするトランシーバの通信方法。
【請求項１４】
コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをコンピュータへ送信するときの、第２のトランシーバの通信方法であって、
電極に印加された電圧の波形をコマンドとして検出し、このコマンドをカードリーダへ送信し、
各電極が媒体に接触または近接している状態で、カードリーダから送信されるＩＣカードのレスポンスに応じた波形の電圧を電極と媒体を介して第１のトランシーバの電極に印加する
ことを特徴とするトランシーバの通信方法。
【請求項１５】
ＩＣカードのカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形をレスポンスとして検出し、このレスポンスをアダプタを介してカードリーダへ送信する
ことを特徴とするトランシーバの通信方法。
【請求項１６】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形をレスポンスとして検出し、このレスポンスをアダプタを介してカードリーダへ送信する
ことを特徴とするトランシーバの通信方法。
【請求項１７】
ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバの通信方法であって、
電極に印加された電圧の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバの通信方法。
【請求項１８】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバの通信方法であって、
電極に印加された電圧の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバの通信方法。
【請求項１９】
コンピュータと通信可能な第１のトランシーバと、ＩＣカードのカードリーダと通信可能な第２のトランシーバとが電極を有し、
各電極が媒体に接触または近接している状態で、第１のトランシーバは、コンピュータから送信されるＩＣカードのコマンドに応じた波形の電圧を電極と媒体を介して第２のトランシーバの電極に印加し、
第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、
各電極が媒体に接触または近接している状態で、第２のトランシーバは、カードリーダから送信されるＩＣカードのレスポンスに応じた波形の電圧を電極と媒体を介して第１のトランシーバの電極に印加し、
第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信する
ことを特徴とするＩＣカードシステム。
【請求項２０】
ＩＣカードのカードリーダと通信可能な第１のトランシーバと、ＩＣカードと通信可能な第２のトランシーバとが電極を有し、
各電極が媒体に接触または近接している状態で、第１のトランシーバは、カードリーダから送信されるＩＣカードのコマンドに応じた波形の電圧を電極と媒体を介して第２のトランシーバの電極に印加し、
第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをカードリーダへ送信する
ことを特徴とするＩＣカードシステム。
【請求項２１】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、
各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、
第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信する
ことを特徴とするＩＣカードシステム。
【請求項２２】
コンピュータと通信可能な第１のトランシーバと、ＩＣカードのカードリーダと通信可能な第２のトランシーバとが電極を有し、
各電極が媒体に接触または近接している状態で、第１のトランシーバは、コンピュータから送信されるＩＣカードのコマンドに応じた波形の電圧を電極と媒体を介して第２のトランシーバの電極に印加し、
第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、
各電極が媒体に接触または近接している状態で、第２のトランシーバは、カードリーダから送信されるＩＣカードのレスポンスに応じた波形の電圧を電極と媒体を介して第１のトランシーバの電極に印加し、
第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信する
ことを特徴とするＩＣカードシステムの通信方法。
【請求項２３】
ＩＣカードのカードリーダと通信可能な第１のトランシーバと、ＩＣカードと通信可能な第２のトランシーバとが電極を有し、
各電極が媒体に接触または近接している状態で、第１のトランシーバは、カードリーダから送信されるＩＣカードのコマンドに応じた波形の電圧を電極と媒体を介して第２のトランシーバの電極に印加し、
第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形に応じた電界を電気光学結晶に印加し、この電気光学結晶で光源からの光の偏光状態を変調し、この偏光変調光を強度変調光に変換し、この強度変調光ｓを電気信号に変換し、この電気信号の波形をレスポンスとして検出し、このレスポンスをカードリーダへ送信する
ことを特徴とするＩＣカードシステムの通信方法。
【請求項２４】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、
各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、
第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、第２のトランシーバは、ＩＣカードから送信されるレスポンスに応じた波形の電圧を電極と媒体を介して第１のトランシーバの電極に印加し、
第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信する
ことを特徴とするＩＣカードシステムの通信方法。
【請求項２５】
コンピュータと通信可能な第１のトランシーバと、ＩＣカードのカードリーダと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバであって、
各電極が媒体に接触または近接している状態で、コンピュータから送信されるＩＣカードのコマンドに応じた波形の電圧を電極と媒体を介して第２のトランシーバの電極に印加し、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信する
ことを特徴とするトランシーバ。
【請求項２６】
コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信するときの、第２のトランシーバであって、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、
各電極が媒体に接触または近接している状態で、カードリーダから送信されるＩＣカードのレスポンスに応じた波形の電圧を電極と媒体を介して第１のトランシーバの電極に印加する
ことを特徴とするトランシーバ。
【請求項２７】
ＩＣカードのカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信する
ことを特徴とするトランシーバ。
【請求項２８】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信する
ことを特徴とするトランシーバ。
【請求項２９】
ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバであって、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバ。
【請求項３０】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバであって、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバ。
【請求項３１】
コンピュータと通信可能な第１のトランシーバと、ＩＣカードのカードリーダと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバの通信方法であって、
各電極が媒体に接触または近接している状態で、コンピュータから送信されるＩＣカードのコマンドに応じた波形の電圧を電極と媒体を介して第２のトランシーバの電極に印加し、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信する
ことを特徴とするトランシーバの通信方法。
【請求項３２】
コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信するときの、第２のトランシーバの通信方法であって、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、
各電極が媒体に接触または近接している状態で、カードリーダから送信されるＩＣカードのレスポンスに応じた波形の電圧を電極と媒体を介して第１のトランシーバの電極に印加する
ことを特徴とするトランシーバの通信方法。
【請求項３３】
ＩＣカードのカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信する
ことを特徴とするトランシーバの通信方法。
【請求項３４】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、
各電極が媒体に接触または近接している状態で、アダプタを介してカードリーダから送信されるＩＣカードのコマンドに応じた波形の電圧を電極と媒体を介して第２のトランシーバの電極に印加し、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信する
ことを特徴とするトランシーバの通信方法。
【請求項３５】
ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバの通信方法であって、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバの通信方法。
【請求項３６】
ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバの通信方法であって、
電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、
各電極が媒体に接触または近接している状態で、ＩＣカードから送信されるレスポンスに応じた波形の電圧を電極と媒体を介して第１のトランシーバの電極に印加する
ことを特徴とするトランシーバの通信方法。
【発明の詳細な説明】
【技術分野】
【０００１】
本発明は、ＩＣカードを利用したＩＣカードシステムの利便性を高める技術に関する。
【背景技術】
【０００２】
図１２は、従来のＩＣカードシステムの構成図である。
【０００３】
このシステムは、非接触型のＩＣカード１を用いてドアＤを解錠するものである。
【０００４】
カードリーダＣＲは、ＩＣカード１用のコマンド（以下、コマンド）である検出コマンドを電波でユーザＵ側へ継続的に送出する。ユーザＵがＩＣカード１をカードリーダＣＲに近接させることで、ＩＣカード１の形式でのレスポンス（以下、レスポンス）である応答レスポンスが返ると、カードリーダＣＲは、この応答レスポンスをコンピュータ２の制御部２２に転送し、これを制御部２２はアプリケーション部２１に転送する。
【０００５】
アプリケーション部２１は、ＩＣカード１用のコマンドを用いた認証情報要求（認証情報要求コマンドという）を制御部２２に送信し、これを制御部２２はカードリーダＣＲに転送する。
【０００６】
カードリーダＣＲは、この認証情報要求コマンドをＩＣカード１へ転送し、ＩＣカード１がレスポンスに認証情報Ａ（図示せず）を含めたもの（認証情報レスポンスという）を返すと、それを制御部２２に転送し、これを制御部２２がアプリケーション部２１に転送する。これにより、アプリケーション部２１がドアを解錠する。
【非特許文献１】RedTacton、［平成１７年１０月３日検索］、インターネット＜URL： http://www.redtacton.com/jp/info/index.html＞
【発明の開示】
【発明が解決しようとする課題】
【０００７】
しかしながら、ユーザＵは、ＩＣカード１を取り出し、カードリーダＣＲに近接させ、ＩＣカード１を再びしまわなければならないので、大変不便である。
【０００８】
かかる不便さを解消するにあたり、非特許文献１で開示された技術を用いると、ドアを解錠するシステムは、以下のようになる。
【０００９】
このシステムでは、ドアを解錠するコンピュータと通信可能な第１のトランシーバと、ユーザが所持する携帯端末と通信可能な第２のトランシーバとが電極を有し、各電極がユーザの人体に接触または近接している状態で、第２のトランシーバは、携帯端末からの認証情報を応じた波形の電圧を電極と人体を介して第１のトランシーバの電極に印加し、第１のトランシーバは、当該電圧の波形から認証情報を検出し、この認証情報をコンピュータへ送信し、これにより、コンピュータがドアを解錠する。
【００１０】
しかしながら、ＩＣカードシステムからこのシステムに切り替えようとすると、ＩＣカードが無駄になる。
【００１１】
また、ＩＣカードシステムのコンピュータ、つまりＩＣカードの形式でのレスポンスでドアを解錠するコンピュータを、この場合の形式での認証情報でドアを解錠するコンピュータへ入れ替える、または、変更しなければならない。
【００１２】
そのため、システム切り替えに必要な費用と時間が増大することになる。
【００１３】
本発明は、上記の課題に鑑みてなされたものであり、その目的とするところは、既存の資源を有効利用でき且つ利便性の高いＩＣカードシステムを提供することにある。
【課題を解決するための手段】
【００１４】
上記の課題を解決するために、請求項１の本発明は、コンピュータと通信可能な第１のトランシーバと、ＩＣカードのカードリーダと通信可能な第２のトランシーバとが電極を有し、各電極が媒体に接触または近接している状態で、第１のトランシーバは、コンピュータから送信されるＩＣカードのコマンドに応じた波形の電圧を電極と媒体を介して第２のトランシーバの電極に印加し、第２のトランシーバは、当該電圧の波形をコマンドとして検出し、このコマンドをカードリーダへ送信し、各電極が媒体に接触または近接している状態で、第２のトランシーバは、カードリーダから送信されるＩＣカードのレスポンスに応じた波形の電圧を電極と媒体を介して第１のトランシーバの電極に印加し、第１のトランシーバは、当該電圧の波形をレスポンスとして検出し、このレスポンスをコンピュータへ送信することを特徴とするＩＣカードシステムをもって解決手段とする。
【００１５】
請求項２の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバは、カードリーダから送信されるＩＣカードのコマンドに応じた波形の電圧を電極と媒体を介して第２のトランシーバの電極に印加し、第２のトランシーバは、当該電圧の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形をレスポンスとして検出し、このレスポンスをカードリーダへ送信することを特徴とするＩＣカードシステムをもって解決手段とする。
【００１６】
請求項３の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、第２のトランシーバは、当該電圧の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形をレスポンスとして検出し、このレスポンスをアダプタを介してカードリーダへ送信することを特徴とするＩＣカードシステムをもって解決手段とする。
【００１７】
請求項４の本発明は、コンピュータと通信可能な第１のトランシーバと、ＩＣカードのカードリーダと通信可能な第２のトランシーバとが電極を有し、各電極が媒体に接触または近接している状態で、第１のトランシーバは、コンピュータから送信されるＩＣカードのコマンドに応じた波形の電圧を電極と媒体を介して第２のトランシーバの電極に印加し、第２のトランシーバは、当該電圧の波形をコマンドとして検出し、このコマンドをカードリーダへ送信し、各電極が媒体に接触または近接している状態で、第２のトランシーバは、カードリーダから送信されるＩＣカードのレスポンスに応じた波形の電圧を電極と媒体を介して第１のトランシーバの電極に印加し、第１のトランシーバは、当該電圧の波形をレスポンスとして検出し、このレスポンスをコンピュータへ送信することを特徴とするＩＣカードシステムの通信方法をもって解決手段とする。
【００１８】
請求項５の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバは、カードリーダから送信されるＩＣカードのコマンドに応じた波形の電圧を電極と媒体を介して第２のトランシーバの電極に印加し、第２のトランシーバは、当該電圧の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形をレスポンスとして検出し、このレスポンスをカードリーダへ送信することを特徴とするＩＣカードシステムの通信方法をもって解決手段とする。
【００１９】
請求項６の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、第２のトランシーバは、当該電圧の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形をレスポンスとして検出し、このレスポンスをアダプタを介してカードリーダへ送信することを特徴とするＩＣカードシステムの通信方法をもって解決手段とする。
【００２０】
請求項７の本発明は、コンピュータと通信可能な第１のトランシーバと、ＩＣカードのカードリーダと通信可能な第２のトランシーバとが電極を有し、第２のトランシーバが、電極に印加された電圧の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバであって、各電極が媒体に接触または近接している状態で、コンピュータから送信されるＩＣカードのコマンドに応じた波形の電圧を電極と媒体を介して第２のトランシーバの電極に印加し、電極に印加された電圧の波形をレスポンスとして検出し、このレスポンスをコンピュータへ送信することを特徴とするトランシーバをもって解決手段とする。
【００２１】
請求項８の本発明は、コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをコンピュータへ送信するときの、第２のトランシーバであって、電極に印加された電圧の波形をコマンドとして検出し、このコマンドをカードリーダへ送信し、各電極が媒体に接触または近接している状態で、カードリーダから送信されるＩＣカードのレスポンスに応じた波形の電圧を電極と媒体を介して第１のトランシーバの電極に印加することを特徴とするトランシーバをもって解決手段とする。
【００２２】
請求項９の本発明は、ＩＣカードのカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形をレスポンスとして検出し、このレスポンスをアダプタを介してカードリーダへ送信することを特徴とするトランシーバをもって解決手段とする。
【００２３】
請求項１０の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形をレスポンスとして検出し、このレスポンスをアダプタを介してカードリーダへ送信することを特徴とするトランシーバをもって解決手段とする。
【００２４】
請求項１１の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバであって、電極に印加された電圧の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバをもって解決手段とする。
【００２５】
請求項１２の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバであって、電極に印加された電圧の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバをもって解決手段とする。
【００２６】
請求項１３の本発明は、コンピュータと通信可能な第１のトランシーバと、ＩＣカードのカードリーダと通信可能な第２のトランシーバとが電極を有し、第２のトランシーバが、電極に印加された電圧の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバの通信方法であって、各電極が媒体に接触または近接している状態で、コンピュータから送信されるＩＣカードのコマンドに応じた波形の電圧を電極と媒体を介して第２のトランシーバの電極に印加し、電極に印加された電圧の波形をレスポンスとして検出し、このレスポンスをコンピュータへ送信することを特徴とするトランシーバの通信方法をもって解決手段とする。
【００２７】
請求項１４の本発明は、コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをコンピュータへ送信するときの、第２のトランシーバの通信方法であって、電極に印加された電圧の波形をコマンドとして検出し、このコマンドをカードリーダへ送信し、各電極が媒体に接触または近接している状態で、カードリーダから送信されるＩＣカードのレスポンスに応じた波形の電圧を電極と媒体を介して第１のトランシーバの電極に印加することを特徴とするトランシーバの通信方法をもって解決手段とする。
【００２８】
請求項１５の本発明は、ＩＣカードのカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形をレスポンスとして検出し、このレスポンスをアダプタを介してカードリーダへ送信することを特徴とするトランシーバの通信方法をもって解決手段とする。
【００２９】
請求項１６の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形をレスポンスとして検出し、このレスポンスをアダプタを介してカードリーダへ送信することを特徴とするトランシーバの通信方法をもって解決手段とする。
【００３０】
請求項１７の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバの通信方法であって、電極に印加された電圧の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバの通信方法をもって解決手段とする。
【００３１】
請求項１８の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形をレスポンスとして検出し、このレスポンスをアダプタを介してカードリーダへ送信するときの、第２のトランシーバの通信方法であって、電極に印加された電圧の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバの通信方法をもって解決手段とする。
【００３２】
請求項１９の本発明は、コンピュータと通信可能な第１のトランシーバと、ＩＣカードのカードリーダと通信可能な第２のトランシーバとが電極を有し、各電極が媒体に接触または近接している状態で、第１のトランシーバは、コンピュータから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、第２のトランシーバは、カードリーダから送信されるＩＣカードのレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信することを特徴とするＩＣカードシステムをもって解決手段とする。
【００３３】
請求項２０の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバは、カードリーダから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをカードリーダへ送信することを特徴とするＩＣカードシステムをもって解決手段とする。
【００３４】
請求項２１の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信することを特徴とするＩＣカードシステムをもって解決手段とする。
【００３５】
請求項２２の本発明は、コンピュータと通信可能な第１のトランシーバと、ＩＣカードのカードリーダと通信可能な第２のトランシーバとが電極を有し、各電極が媒体に接触または近接している状態で、第１のトランシーバは、コンピュータから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、第２のトランシーバは、カードリーダから送信されるＩＣカードのレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信することを特徴とするＩＣカードシステムの通信方法をもって解決手段とする。
【００３６】
請求項２３の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバは、カードリーダから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光ｓを電気信号に変換し、この電気信号の波形をレスポンスとして検出し、このレスポンスをカードリーダへ送信することを特徴とするＩＣカードシステムの通信方法をもって解決手段とする。
【００３７】
請求項２４の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信することを特徴とするＩＣカードシステムの通信方法をもって解決手段とする。
【００３８】
請求項２５の本発明は、コンピュータと通信可能な第１のトランシーバと、ＩＣカードのカードリーダと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバであって、各電極が媒体に接触または近接している状態で、コンピュータから送信されるＩＣカードのコマンドに応じた波形の電圧を電極と媒体を介して第２のトランシーバの電極に印加し、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信することを特徴とするトランシーバをもって解決手段とする。
【００３９】
請求項２６の本発明は、コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信するときの、第２のトランシーバであって、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、カードリーダから送信されるＩＣカードのレスポンスに応じた波形の電圧を電極と媒体を介して第１のトランシーバの電極に印加することを特徴とするトランシーバをもって解決手段とする。
【００４０】
請求項２７の本発明は、ＩＣカードのカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信することを特徴とするトランシーバをもって解決手段とする。
【００４１】
請求項２８の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバであって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信することを特徴とするトランシーバをもって解決手段とする。
【００４２】
請求項２９の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバであって、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバをもって解決手段とする。
【００４３】
請求項３０の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバであって、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバをもって解決手段とする。
【００４４】
請求項３１の本発明は、コンピュータと通信可能な第１のトランシーバと、ＩＣカードのカードリーダと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、第２のトランシーバが、カードリーダから送信されるＩＣカードのレスポンスに応じた波形の電圧を電極と媒体を介して第１のトランシーバの電極に印加するときの、第１のトランシーバの通信方法であって、各電極が媒体に接触または近接している状態で、コンピュータから送信されるＩＣカードのコマンドに応じた波形の電圧を電極と媒体を介して第２のトランシーバの電極に印加し、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信することを特徴とするトランシーバの通信方法をもって解決手段とする。
【００４５】
請求項３２の本発明は、コンピュータと通信可能な第１のトランシーバと、ＩＣカードのカードリーダと通信可能な第２のトランシーバとが電極を有し、各電極が媒体に接触または近接している状態で、第１のトランシーバが、コンピュータから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信するときの、第２のトランシーバの通信方法であって、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、カードリーダから送信されるＩＣカードのレスポンスに応じた波形の電圧を電極と媒体を介して第１のトランシーバの電極に印加することを特徴とするトランシーバの通信方法をもって解決手段とする。
【００４６】
請求項３３の本発明は、ＩＣカードのカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信することを特徴とするトランシーバの通信方法をもって解決手段とする。
【００４７】
請求項３４の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、第２のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバが、ＩＣカードから送信されるレスポンスに応じた波形の電圧を電極と媒体を介して第１のトランシーバの電極に印加するときの、第１のトランシーバの通信方法であって、各電極が媒体に接触または近接している状態で、アダプタを介してカードリーダから送信されるＩＣカードのコマンドに応じた波形の電圧を電極と媒体を介して第２のトランシーバの電極に印加し、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信することを特徴とするトランシーバの通信方法をもって解決手段とする。
【００４８】
請求項３５の本発明は、ＩＣカードのカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバの通信方法であって、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバの通信方法をもって解決手段とする。
【００４９】
請求項３６の本発明は、ＩＣカードとカードリーダとの間での通信の態様と同じ態様でカードリーダと通信可能なアダプタを介してカードリーダと通信可能な第１のトランシーバと、ＩＣカードと通信可能な第２のトランシーバとが電極を有し、各電極が媒体に接触または近接している状態で、第１のトランシーバが、アダプタを介してカードリーダから送信されるＩＣカードのコマンドに応じた波形の電圧を電極と媒体を介して第２のトランシーバの電極に印加し、第１のトランシーバが、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するときの、第２のトランシーバの通信方法であって、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、ＩＣカードから送信されるレスポンスに応じた波形の電圧を電極と媒体を介して第１のトランシーバの電極に印加することを特徴とするトランシーバの通信方法をもって解決手段とする。
【発明の効果】
【００５０】
本発明によれば、各電極が媒体に接触または近接している状態で、第１のトランシーバは、コンピュータから送信されるＩＣカードのコマンドに応じた波形の電圧を電極と媒体を介して第２のトランシーバの電極に印加し、第２のトランシーバは、当該電圧の波形をコマンドとして検出し、このコマンドをカードリーダへ送信し、各電極が媒体に接触または近接している状態で、第２のトランシーバは、カードリーダから送信されるＩＣカードのレスポンスに応じた波形の電圧を電極と媒体を介して第１のトランシーバの電極に印加し、第１のトランシーバは、当該電圧の波形をレスポンスとして検出し、このレスポンスをコンピュータへ送信するので、つまり、カードリーダとコンピュータの間の通信が両トランシーバを介して行われるので、既存のＩＣカードとカードリーダとコンピュータを有効利用でき、しかも、ＩＣカードの取り出しなどが不要になり、よって、利便性が向上する。
【００５１】
また、本発明によれば、各電極が媒体に接触または近接している状態で、第１のトランシーバは、カードリーダから送信されるＩＣカードのコマンドに応じた波形の電圧を電極と媒体を介して第２のトランシーバの電極に印加し、第２のトランシーバは、当該電圧の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形をレスポンスとして検出し、このレスポンスをカードリーダへ送信するので、つまり、ＩＣカードとカードリーダの間の通信が両トランシーバを介して行われるので、既存のＩＣカードとカードリーダとコンピュータを有効利用でき、しかも、ＩＣカードの取り出しなどが不要になり、よって、利便性が向上する。また、ユーザがカードリーダを所持してＩＣカードと通信可能にしておく必要がないので、より利便性が向上する。
【００５２】
また、本発明によれば、各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、第２のトランシーバは、当該電圧の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形をレスポンスとして検出し、このレスポンスをアダプタを介してカードリーダへ送信するので、つまり、ＩＣカードとカードリーダの間の通信が両トランシーバを介して行われるので、既存のＩＣカードとカードリーダとコンピュータを有効利用でき、しかも、ＩＣカードの取り出しなどが不要になり、よって、利便性が向上する。また、ユーザがカードリーダを所持してＩＣカードと通信可能にしておく必要がないので、より利便性が向上する。また、カードリーダと第１のトランシーバとの間の通信が、ＩＣカードとカードリーダとの間での通信の態様と同じ態様でカードリーダと通信可能なアダプタを介して行われるので、既存のカードリーダをそのまま使用することができる。
【００５３】
本発明によれば、各電極が媒体に接触または近接している状態で、第１のトランシーバは、コンピュータから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをカードリーダへ送信し、各電極が媒体に接触または近接している状態で、第２のトランシーバは、カードリーダから送信されるＩＣカードのレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをコンピュータへ送信するので、つまり、カードリーダとコンピュータの間の通信が両トランシーバを介して行われるので、既存のＩＣカードとカードリーダとコンピュータを有効利用でき、しかも、ＩＣカードの取り出しなどが不要になり、よって、利便性が向上する。
【００５４】
また、本発明によれば、各電極が媒体に接触または近接している状態で、第１のトランシーバは、カードリーダから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをカードリーダへ送信するので、つまり、ＩＣカードとカードリーダの間の通信が両トランシーバを介して行われるので、既存のＩＣカードとカードリーダとコンピュータを有効利用でき、しかも、ＩＣカードの取り出しなどが不要になり、よって、利便性が向上する。また、ユーザがカードリーダを所持してＩＣカードと通信可能にしておく必要がないので、より利便性が向上する。
【００５５】
また、本発明によれば、各電極が媒体に接触または近接している状態で、第１のトランシーバは、アダプタを介してカードリーダから送信されるＩＣカードのコマンドに応じた波形の電圧を電極と媒体を介して第２のトランシーバの電極に印加し、第２のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をコマンドとして検出し、このコマンドをＩＣカードへ送信し、各電極が媒体に接触または近接している状態で、第２のトランシーバは、ＩＣカードから送信されるレスポンスに応じた波形の電圧を電極と媒体を介して第１のトランシーバの電極に印加し、第１のトランシーバは、当該電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形をレスポンスとして検出し、このレスポンスをアダプタを介してカードリーダへ送信するので、つまり、ＩＣカードとカードリーダの間の通信が両トランシーバを介して行われるので、既存のＩＣカードとカードリーダとコンピュータを有効利用でき、しかも、ＩＣカードの取り出しなどが不要になり、よって、利便性が向上する。また、ユーザがカードリーダを所持してＩＣカードと通信可能にしておく必要がないので、より利便性が向上する。また、カードリーダと第１のトランシーバとの間の通信が、ＩＣカードとカードリーダとの間での通信の態様と同じ態様でカードリーダと通信可能なアダプタを介して行われるので、既存のカードリーダをそのまま使用することができる。
【発明を実施するための最良の形態】
【００５６】
以下、本発明の実施の形態を図面を参照して説明する。
【００５７】
［第１の実施の形態］
図１は、第１の実施の形態に係るＩＣカードシステムの構成図である。
【００５８】
このシステムは、ＩＣカード１を用いてドアＤを解錠するものである。ＩＣカード１は、図示しない認証情報Ａを記憶しており、ドアＤの解錠しようとするユーザＵに所持される。認証情報Ａは、例えば、ユーザＵを象徴する、いわゆるユーザＩＤである。あるいは、認証情報Ａは、例えば、ユーザＵの属する組織を象徴するものでもよい。
【００５９】
このシステムで用いられるコンピュータ２は、ドアＤを解錠するアプリケーション部２１と、アプリケーション部２１への入出力を制御する制御部２２とを備える。アプリケーション部２１は、認証情報Ａが送信された場合にドアＤを解錠するようになっている。
【００６０】
また、このシステムでは、ドアＤの近傍に、コンピュータ２に接続されたトランシーバ３Ａが設置されている。
【００６１】
また、このシステムでは、カードリーダＣＲとトランシーバ３ＢがユーザＵに所持される。カードリーダＣＲは、ＩＣカード１と通信可能なように所持され、トランシーバ３Ｂは、カードリーダＣＲと通信可能なように所持される。
【００６２】
図２は、トランシーバ３Ａ、３Ｂの構成および利用形態を示す図である。
【００６３】
トランシーバ３Ａ、３Ｂは、同様な構成を有するので、これらを区別せず、トランシーバ３という。
【００６４】
トランシーバ３は、電極３１と、発振器３２とセンサ部３３と送受信回路３４を備える。特に、トランシーバ３Ａの電極３１は、情報伝達の媒体である、ユーザＵの人体が接触できるようにユーザＵ側に露出している。一方、トランシーバ３Ｂの電極３１は、ユーザＵの人体に常に接触している状態にされる。なお、トランシーバ３Ａ、３Ｂ間では、ユーザＵの人体と電極３１とが近接していても通信可能なので、電極３１の表面を絶縁体で覆ってもよい。
【００６５】
送受信回路３４は、コンピュータ２から送信されるコマンドやカードリーダＣＲから送信されるレスポンスに応じて発振器３２を制御し、発振器３２は、その制御に応じた電圧を電極３１に印加するようになっている。また、送受信回路３４は、センサ部３３で光電変換された電気信号を処理することで、カードリーダＣＲへ送信すべきコマンドやコンピュータ２へ送信すべきレスポンスを検出し、これをカードリーダＣＲやコンピュータ２に送信するようになっている。
【００６６】
センサ部３３は、光源３３１と、この光源３３１からの光の偏光状態を変調する電気光学結晶３３２と、この偏光変調光を強度変調光に変換する偏光板３３３と、この強度変調光を電気信号に変換する光検出器３３４とを備える。
【００６７】
図３は、トランシーバ３Ａの具体的な形状を例示した図である。
【００６８】
トランシーバ３Ａが、例えば、図３（ａ）、図３（ｂ）に示すように、その本体にＵＳＢ(Universal Serial Bus)ケーブル、ＲＳ−２３２ＣケーブルまたはＲＳ−４８５ケーブルを接続してなるものの場合、そのケーブルをコンピュータ２に接続することで、トランシーバ３Ａとコンピュータ２とが通信可能になる。
【００６９】
また、トランシーバ３Ａが、例えば、図３（ｃ）に示すように、ＰＣカード型である場合、トランシーバ３Ａをコンピュータ２のＰＣカードインタフェースに接続することで、トランシーバ３Ａとコンピュータ２とが通信可能になる。
【００７０】
このように、トランシーバ３Ａは様々な形状を採用することができ、その中から、コンピュータ２に適したものを選択することで、コンピュータ２として、既存のものを使用することができるようになる。
【００７１】
図４は、トランシーバ３Ｂ、カードリーダＣＲおよびＩＣカード１の具体的な形状を例示した図である。
【００７２】
図４の各トランシーバ３Ｂ’は、トランシーバ３ＢとカードリーダＣＲとを一体化したものであり、この状態でトランシーバ３ＢとカードリーダＣＲとが通信可能となっている。
【００７３】
特に、ＩＣカード１が接触型のものである場合、例えば、図４（ａ）のように、トランシーバ３Ｂと接触型のカードリーダＣＲとを一体化したトランシーバ３Ｂ’にＩＣカード１を差し込むことで、トランシーバ３Ｂ’とＩＣカード１とが通信可能となる。
【００７４】
ＩＣカード１が非接触型のものである場合、例えば、図４（ｂ）のように、トランシーバ３Ｂと非接触型のカードリーダＣＲとを一体化したトランシーバ３Ｂ’にＩＣカード１を密着させることで、トランシーバ３Ｂ’とＩＣカード１とが通信可能となる。
【００７５】
ＩＣカード１が接触型あるいは非接触型のものである場合、例えば、図４（ｃ）のように、トランシーバ３Ｂと接触型あるいは非接触型のカードリーダＣＲとを一体化したトランシーバ３Ｂ’にＩＣカード１の大部分を差し込むことで、トランシーバ３Ｂ’とＩＣカード１とが通信可能となる。
【００７６】
ＩＣカード１がＳＩＭ（シム）カードと呼ばれる着脱可能なＩＣチップ内蔵カードである場合、例えば、図４（ｄ）のように、トランシーバ３ＢとＳＩＭカード用のカードリーダＣＲとを一体化したトランシーバ３Ｂ’にＩＣカード１を差し込むことで、トランシーバ３Ｂ’とＩＣカード１とが通信可能になる。
【００７７】
（第１の実施の形態の動作）
図５は、第１の実施の形態のシーケンス図である。なお、カードリーダＣＲ、トランシーバ３Ａ、３Ｂ内のシーケンスの図示は省略し、これに伴い、図上では、カードリーダＣＲ、トランシーバ３Ａ、３Ｂをまとめてトランシーバ３とする。
【００７８】
カードリーダＣＲは、検出コマンドをＩＣカード１に送信し（Ｓ１）、ＩＣカード１が応答レスポンスを返す（Ｓ３）と、この応答レスポンスを、図２に示すトランシーバ３Ｂの送受信回路３４に転送する。
【００７９】
送受信回路３４は、その応答レスポンスに基づいてトランシーバ３Ｂの発振器３２を発振させる。発振器３２は、この応答レスポンスに応じた波形の電圧を、トランシーバ３Ｂの電極３１に印加する。ユーザＵの人体がトランシーバ３Ａの電極３１に接触あるいは近接していれば、この電圧がユーザＵの人体を介して、図２に示すトランシーバ３Ａの電極３１に印加される。
【００８０】
トランシーバ３Ａのセンサ部３３では、当該電圧の波形に応じた電界を電気光学結晶３３２に印加し、光源３３１が光を電気光学結晶３３２に入射し、偏光板３３３が電気光学結晶３３２からの偏光変調光を強度変調光に変換し、光検出器３３４が強度変調光を電気信号に変換し、送受信回路３４が電気信号の波形を応答レスポンスとして検出する。そして、この応答レスポンスをコンピュータ２の制御部２２へ送信する（図５のＳ５）。
【００８１】
これにより、制御部２２は、アプリケーション部２１から検出コマンドを待機し（Ｓ７）、この検出コマンドが送信される（Ｓ９）、アプリケーション部２１に応答レスポンスを転送する（Ｓ１１）。
【００８２】
これにより、アプリケーション部２１は、ＩＣカード１用のコマンドを用いた認証情報要求（認証情報要求コマンドという）を制御部２２に送信し（Ｓ２１）、制御部２２は、この認証情報要求コマンドを図２に示すトランシーバ３Ａの送受信回路３４に転送する（図５のＳ２３）。
【００８３】
送受信回路３４は、その認証情報要求コマンドに基づいてトランシーバ３Ａの発振器３２を発振させる。この発振器３２は、この認証情報要求コマンドに応じた波形の電圧を、トランシーバ３Ａの電極３１に印加する。ユーザＵの人体がトランシーバ３Ａの電極３１に接触あるいは近接していれば、この電圧がユーザＵの人体を介して、図２に示すトランシーバ３Ｂの電極３１に印加される。
【００８４】
トランシーバ３Ｂのセンサ部３３では、当該電圧の波形に応じた電界を電気光学結晶３３２に印加し、光源３３１が光を電気光学結晶３３２に入射し、偏光板３３３が電気光学結晶３３２からの偏光変調光を強度変調光に変換し、光検出器３３４が強度変調光を電気信号に変換し、送受信回路３４が電気信号の波形を認証情報要求コマンドとして検出し、この認証情報要求コマンドをカードリーダＣＲへ送信する。
【００８５】
これにより、カードリーダＣＲは、認証情報要求コマンドをＩＣカード１へ転送し（Ｓ２５）、ＩＣカード１がレスポンスに認証情報Ａを含めたもの（認証情報レスポンスという）を返す（Ｓ２７）と、認証情報レスポンスを、図２に示すトランシーバ３Ｂの送受信回路３４に転送する。
【００８６】
これにより、前述した応答レスポンスと同様にして、認証情報レスポンスに応じた電圧がユーザＵの人体に印加され、トランシーバ３Ａの送受信回路３４が、認証情報レスポンスをコンピュータ２の制御部２２へ送信する（図５のＳ２９：認証情報レスポンス）。
【００８７】
制御部２２は、認証情報レスポンスをアプリケーション部２１に転送する（Ｓ３１）。
【００８８】
これにより、アプリケーション部２１は、ドアＤを解錠する（Ｓ３３）。
【００８９】
図６は、別の方法でドアＤを解錠するときの部分的なシーケンス図である。なお、カードリーダＣＲ、トランシーバ３Ａ、３Ｂについては、図５と同様に、まとめてトランシーバ３とした。
【００９０】
アプリケーション部２１は、検出コマンドを制御部２２に送信し（Ｓ４１）、制御部２２は、この検出コマンドをトランシーバ３Ａの送受信回路３４に転送する（Ｓ４３）。
【００９１】
これにより、前述した認証情報要求コマンドと同様にして、この検出コマンドに応じた電圧がユーザＵの人体に印加され、トランシーバ３Ｂの送受信回路３４が、検出コマンドをカードリーダＣＲへ送信する。
【００９２】
カードリーダＣＲは、この検出コマンドをＩＣカード１に転送し（Ｓ４５）、ＩＣカード１が応答レスポンスを返す（Ｓ４７）と、その応答レスポンスをトランシーバ３Ｂの送受信回路３４に転送する。
【００９３】
これにより、前述した応答レスポンスと同様にして、今回の応答レスポンスに応じた電圧がユーザＵの人体に印加され、トランシーバ３Ａの送受信回路３４が、制御部２２へ応答レスポンスを送信する（Ｓ４９）。
【００９４】
制御部２２は、その応答レスポンスをアプリケーション部２１に転送する（Ｓ５１）。
【００９５】
これにより、図５のＳ２１〜Ｓ３３が行われることとなる。
【００９６】
以上説明したように、第１の実施の形態によれば、トランシーバ３Ａ（第１のトランシーバ）の電極３１とトランシーバ３Ｂ（第２のトランシーバ）の電極３１が人体に接触または近接している状態で、トランシーバ３Ａは、コンピュータ２から送信されるＩＣカードのコマンドに応じた波形の電圧を自身の電極３１と人体を介してトランシーバ３Ｂの電極３１に印加し、トランシーバ３Ｂは、当該電圧の波形に応じた電界を自身の電気光学結晶３３２に印加し、この電気光学結晶で自身の光源３３１からの光の偏光状態を変調し、この偏光変調光を自身の偏光板３３３で強度変調光に変換し、この強度変調光を自身の光検出器３３４で電気信号に変換し、この電気信号の波形を自身の送受信回路３４でコマンドとして検出し、このコマンドをカードリーダＣＲへ送信し、各電極３１が人体に接触または近接している状態で、トランシーバ３Ｂは、カードリーダＣＲから送信されるＩＣカードのレスポンスに応じた波形の電圧を自身の電極３１と人体を介してトランシーバ３Ａの電極３１に印加し、トランシーバ３Ａは、当該電圧の波形に応じた電界を自身の電気光学結晶３３２に印加し、この電気光学結晶で自身の光源３３１からの光の偏光状態を変調し、この偏光変調光を自身の偏光板３３３で強度変調光に変換し、この強度変調光を自身の光検出器３３４で電気信号に変換し、この電気信号の波形を自身の送受信回路３４でレスポンスとして検出し、このレスポンスをコンピュータへ送信するので、つまり、カードリーダＣＲとコンピュータ２の間の通信が両トランシーバ３Ａ、３Ｂを介して行われるので、既存のＩＣカードとカードリーダとコンピュータを有効利用でき、しかも、ＩＣカードの取り出しなどが不要になり、よって、利便性が向上する。
【００９７】
［第２の実施の形態］
図７は、第２の実施の形態に係るＩＣカードシステムの構成図である。なお、第１の実施の形態で用いられたものと同一のものには同一の符号を付し、その説明を簡略化する。  このシステムは、ＩＣカード１を用いてドアＤを解錠するものである。ＩＣカード１は認証情報Ａを有し、ユーザＵに所持される。ユーザＵは、また、ＩＣカード１と通信可能なようにトランシーバ３Ｂを所持する。
【００９８】
このシステムでは、コンピュータ２が用いられる。コンピュータ２は、既存のものでよい。また、コンピュータ２に接続されたカードリーダＣＲが用いられる。また、ＩＣカード１とカードリーダＣＲとの間での通信の態様と同じ態様でカードリーダＣＲと通信可能なアダプタＡＤが用いられる。よって、カードリーダＣＲは、既存のものでよい。
【００９９】
また、ドアＤの近傍には、アダプタＡＤに接続されたトランシーバ３Ａが設置されている。
【０１００】
図８は、トランシーバ３Ａの具体的な形状を例示した図である。
【０１０１】
例えば、図８（ａ）に示すように、トランシーバ３ＡとアダプタＡＤはケーブルを介して接続される。アダプタＡＤは、トランシーバ３Ａと電気的に接続されたアンテナや接触端子を備える。これに対し、カードリーダＣＲにもアンテナや接触端子を設け、アンテナ同士を近接させること又は接触端子同士を接触させることで、トランシーバ３ＡとカードリーダＣＲとが通信可能になる。
【０１０２】
また、図８（ｂ）のトランシーバ３Ａ’は、アンテナを備えたアダプタＡＤとトランシーバ３Ｂとを一体化したものである。これに対し、カードリーダＣＲにもアンテナを設け、アンテナ同士を近接させることことで、トランシーバ３Ａ’とカードリーダＣＲとが通信可能になる。なお、図８（ｂ）においても、接触端子によって通信可能としてもよい。
【０１０３】
（第２の実施の形態の動作）
次に、第２の実施の形態の動作を説明する。なお、便宜的に、図５のシーケンス図を参照する。
【０１０４】
カードリーダＣＲは、検出コマンドをアダプタＡＤを介してトランシーバ３Ａの送受信回路３４に送信する。
【０１０５】
これにより、第１の実施の形態のコマンドと同様にして、今回の検出コマンドに応じた電圧がユーザＵの人体に印加され、トランシーバ３Ｂの送受信回路３４が、検出コマンドをＩＣカード１へ送信する（Ｓ１）。
【０１０６】
ＩＣカード１がトランシーバ３Ｂの送受信回路３４へ応答レスポンスを返す（Ｓ３）と、これにより、第１の実施の形態のレスポンスと同様にして、今回の応答レスポンスに応じた電圧がユーザＵの人体に印加され、トランシーバ３Ａの送受信回路３４が、アダプタＡＤを介して応答レスポンスをカードリーダＣＲに送信する。
【０１０７】
カードリーダＣＲは、この応答レスポンスを制御部２２へ転送する（Ｓ５）。これにより、図５のＳ７〜Ｓ２１が行われることとなる。
【０１０８】
そして、制御部２２は、送信された認証情報要求コマンドをカードリーダＣＲに転送する（Ｓ２３）。
【０１０９】
カードリーダＣＲは、アダプタＡＤを介して認証情報要求コマンドをトランシーバ３Ａの送受信回路３４に転送する。
【０１１０】
これにより、これまで説明したコマンドと同様にして、今回の認証情報要求コマンドに応じた電圧がユーザＵの人体に印加され、トランシーバ３Ｂの送受信回路３４が、認証情報要求コマンドをＩＣカード１へ送信する（Ｓ２５）。
【０１１１】
ＩＣカード１がトランシーバ３Ｂの送受信回路３４へ認証情報レスポンスを返す（Ｓ２７）と、これにより、これまで説明したレスポンスと同様にして、今回の認証情報レスポンスに応じた電圧がユーザＵの人体に印加され、トランシーバ３Ａの送受信回路３４が、アダプタＡＤを介して認証情報レスポンスをカードリーダＣＲに送信する。
【０１１２】
カードリーダＣＲは、認証情報レスポンスを制御部２２へ転送する（Ｓ２９）。これにより、図５のＳ３１、Ｓ３３が行われることとなる。
【０１１３】
次に、別の方法でドアＤを解錠させるときの動作を説明する。なお、便宜的に、図６のシーケンス図を参照する。
【０１１４】
アプリケーション部２１は、検出コマンドを制御部２２に送信し（Ｓ４１）、制御部２２は、検出コマンドをカードリーダＣＲに転送する（Ｓ４３）。
【０１１５】
カードリーダＣＲは、アダプタＡＤを介して検出コマンドコマンドをトランシーバ３Ａの送受信回路３４に転送する。
【０１１６】
これにより、これまで説明したコマンドと同様にして、今回の検出コマンドに応じた電圧がユーザＵの人体に印加され、トランシーバ３Ｂの送受信回路３４が、検出コマンドをＩＣカード１へ送信する（Ｓ４５）。
【０１１７】
ＩＣカード１がトランシーバ３Ｂの送受信回路３４へ応答レスポンスを返す（Ｓ４７）と、これまで説明したレスポンスと同様にして、今回の応答レスポンスに応じた電圧がユーザＵの人体に印加され、トランシーバ３Ａの送受信回路３４が、アダプタＡＤを介して応答レスポンスをカードリーダＣＲに送信する。
【０１１８】
カードリーダＣＲは、この応答レスポンスを制御部２２へ転送する（Ｓ４９）。
【０１１９】
制御部２２は、その応答レスポンスをアプリケーション部２１に転送する（Ｓ５１）。
【０１２０】
これにより、図５のＳ２１が行われ、続いて、図５のＳ２３〜Ｓ２９を参照して説明した第２の実施の形態の動作が行われ、これにより、図５のＳ３１、Ｓ３３が行われることとなる。
【０１２１】
以上説明したように、第２の実施の形態によれば、トランシーバ３Ａ（第１のトランシーバ）の電極３１とトランシーバ３Ｂ（第２のトランシーバ）の電極３１が人体に接触または近接している状態で、トランシーバ３Ａは、アダプタＡＤを介してカードリーダＣＲから送信されるＩＣカードのコマンドに応じた波形の電圧を自身の電極３１と人体を介してトランシーバ３Ｂの電極に印加し、トランシーバ３Ｂは、当該電圧の波形に応じた電界を自身の電気光学結晶３３２に印加し、この電気光学結晶で自身の光源３３１からの光の偏光状態を変調し、この偏光変調光を自身の偏光板３３３で強度変調光に変換し、この強度変調光を自身の光検出器３３４で電気信号に変換し、この電気信号の波形を自身の送受信回路３４でコマンドとして検出し、このコマンドをＩＣカードへ送信し、各電極３１が人体に接触または近接している状態で、トランシーバ３Ｂは、ＩＣカードから送信されるレスポンスに応じた波形の電圧を自身の電極３１と人体を介してトランシーバ３Ａの電極３１に印加し、トランシーバ３Ａは、当該電圧の波形に応じた電界を自身の電気光学結晶３３２に印加し、この電気光学結晶で自身の光源３３１からの光の偏光状態を変調し、この偏光変調光を自身の偏光板３３３で強度変調光に変換し、この強度変調光を自身の光検出器３３４で電気信号に変換し、この電気信号の波形を自身の送受信回路３４でレスポンスとして検出し、このレスポンスをアダプタを介してカードリーダへ送信するので、つまり、ＩＣカードとカードリーダの間の通信が両トランシーバ３Ａ、３Ｂを介して行われるので、既存のＩＣカードとカードリーダとコンピュータを有効利用でき、しかも、ＩＣカードの取り出しなどが不要になり、よって、利便性が向上する。また、ユーザがカードリーダを所持してＩＣカードと通信可能にしておく必要がないので、より利便性が向上する。また、カードリーダとトランシーバ３Ａとの間の通信が、ＩＣカードとカードリーダとの間での通信の態様と同じ態様でカードリーダと通信可能なアダプタを介して行われるので、既存のカードリーダをそのまま使用することができる。
【０１２２】
なお、トランシーバ３ＡとカードリーダＣＲを接続することを厭わなければ、図９に示すように、トランシーバ３ＡとカードリーダＣＲを、アダプタＡＤを介さずに接続してもよい。
【０１２３】
さて、これまでは、ドアＤを解錠する構成と動作を説明したが、図１０に示すように、ドアＤを解錠する代わりに、ＰＯＳレジでカード決済処理を行わせるようにしてもよい。
【０１２４】
また、図１１に示すように、ドアＤを解錠する代わりに、鉄道の改札での入退場の処理を行わせるようにしてもよい。また、バス停での入退場の処理を行わせるようにしてもよい。
【０１２５】
なお、図１０、１１では、第１の実施の形態の構成を示しているが、第２の実施の形態の構成を採用してもよい。
【０１２６】
また、これまでは、セキュリティを向上させる仕組みについては述べなかったが、コマンドやレスポンスを暗号化したり、電子署名を付与するなどして、セキュリティを向上させるのがより好ましい。
【０１２７】
また、これらの実施の形態は、人体を情報伝達の媒体としたが、他の生物（動物など）や絶縁体を媒体としてもよい。
【０１２８】
また、これらの実施の形態では、トランシーバでのコマンドやレスポンスの検出に光源、電気光学結晶、偏光板および光検出器という光学部品を用いたが、これらを用いずに、つまり電気的に検出を行ってもよい。
【図面の簡単な説明】
【０１２９】
【図１】第１の実施の形態に係るＩＣカードシステムの構成図である。
【図２】トランシーバ３Ａ、３Ｂの構成および利用形態を示す図である。
【図３】トランシーバ３Ａの具体的な形状を例示した図である。
【図４】トランシーバ３Ｂ、カードリーダＣＲおよびＩＣカード１の具体的な形状を例示した図である。
【図５】第１の実施の形態のシーケンス図である。
【図６】別の方法でドアＤを解錠するときの部分的なシーケンス図である。
【図７】第２の実施の形態に係るＩＣカードシステムの構成図である。
【図８】トランシーバ３Ａの具体的な形状を例示した図である。
【図９】第２の実施の形態を応用したＩＣカードシステムの構成図である。
【図１０】ＰＯＳレジでカード決済処理を行わせる場合の構成図である。
【図１１】鉄道の改札での入退場の処理を行わせる場合の構成図である。
【図１２】従来のＩＣカードシステムの構成図である。
【符号の説明】
【０１３０】
１…ＩＣカード
２…コンピュータ
３、３Ａ、３Ｂ…トランシーバ
２１…アプリケーション部
２２…制御部
３１…電極
３２…発振器
３３…センサ部
３４…送受信回路
３３１…光源
３３２…電気光学結晶
３３３…偏光板
３３４…光検出器
Ａ…認証情報
ＡＤ…アダプタ
ＣＲ…カードリーダ
Ｄ…ドア
Ｕ…ユーザ
【図１】
2007226560.tif 000003
【図２】
2007226560.tif 000004
【図３】
2007226560.tif 000005
【図４】
2007226560.tif 000006
【図５】
2007226560.tif 000007
【図６】
2007226560.tif 000008
【図７】
2007226560.tif 000009
【図８】
2007226560.tif 000010
【図９】
2007226560.tif 000011
【図１０】
2007226560.tif 000012
【図１１】
2007226560.tif 000013
【図１２】
2007226560.tif 000014